(57)【要約】      （修正有）【課題】組立状態の箱体での強度低下が比較的小さく、廃棄時に比較的容易に破断できる箱用シートを提供する。【解決手段】箱用シートは、一枚の段ボールシートから形成され、箱体に組み立てられる箱用シートであって、組立状態で他の部分と重ね合される複数のフラップ７〜１４を備え、複数のフラップの先端縁に段ボールシートの破断開始用凹部１５が形成されていることを特徴とする。上記凹部が、凹部の両側のフラップ先端縁から連続する円弧状又は楕円弧状の側縁を有するよい。上記凹部の一対の側縁が、曲率半径１ｍｍ以上４ｍｍ以下の奥端縁で接続されているとよい。上記凹部が、封函用粘着テープの貼着予定領域に形成されているとよい。上記複数のフラップのうち、組立状態で他の部分の内側に重ねられる内フラップに、破断開始用開口１６が形成されているとよい。【選択図】図１
0003200794.tif 000002
【実用新案登録請求の範囲】
【請求項１】
一枚の段ボールシートから形成され、箱体に組み立てられる箱用シートであって、
組立状態で他の部分と重ね合される複数のフラップを備え、
上記複数のフラップの先端縁に段ボールシートの破断開始用凹部が形成されていることを特徴とする箱用シート。
【請求項２】
上記凹部が、凹部の両側のフラップ先端縁から連続する円弧状又は楕円弧状の側縁を有する請求項１に記載の箱用シート。
【請求項３】
上記凹部の一対の側縁が、曲率半径１ｍｍ以上４ｍｍ以下の奥端縁で接続されている請求項２に記載の箱用シート。
【請求項４】
上記凹部が、封函用粘着テープの貼着予定領域に形成されている請求項１、請求項２又は請求項３に記載の箱用シート。
【請求項５】
上記複数のフラップのうち、組立状態で他の部分の内側に重ねられる内フラップに、破断開始用開口が形成されている請求項１から請求項４のいずれか１項に記載の箱用シート。
【考案の詳細な説明】
【技術分野】
【０００１】
本考案は、箱用シートに関する。
【背景技術】
【０００２】
段ボールシートから形成される箱は、商品の包装等の用途に広く利用されている。中には通函と呼ばれ、繰り返し利用される段ボール箱もあるが、多くの段ボール箱は、一度使用された後は廃棄される。
【０００３】
段ボール箱は、廃棄される際には、廃棄物の体積を小さくするために展開される。さらに、特に一般家庭等では、ごみ袋に入れて廃棄するために、段ボール箱を展開した後、小さく折り畳んだり、小片に切断したりする必要がある場合が少なくない。
【０００４】
段ボール箱を展開した段ボールシートを小さく折り畳んで廃棄する場合、段ボールシートは、その腰（弾性）により小さく折り畳んだ状態を保持できずに容易に拡がってしまう。このため、段ボールシートを折り畳んで廃棄する場合、荷づくり紐や粘着テープで段ボールシートが拡がらないよう固定する必要がある。
【０００５】
一方、段ボールシートを切断して廃棄する場合、その切断が容易ではない。手で段ボールシートを破断する場合、折り曲げ線に沿って切断するのがやっとであり、比較的大きな段ボール箱をごみ袋に入るサイズまで小さく分割することは容易な作業ではない。また、カッターナイフやはさみを用いて段ボールシートを切断することもできるが、それでも容易に切断できるとは言い難いうえ、カッターナイフやはさみを使用すると紙粉が多く発生しやすいという不都合も生じる。
【０００６】
そこで、包装箱の廃棄を容易にするため、包装箱用シートに破断用のミシン目を形成することが提案されている（特開平１１−１６５７２９号公報）。この公報に記載の包装箱では、ミシン目を屈曲して形成することで、包装箱の強度の低下を抑制しているが、ミシン目を設けない箱と比べて強度が低下することは避けられない。
【先行技術文献】
【特許文献】
【０００７】
【特許文献１】特開平１１−１６５７２９号公報
【考案の概要】
【考案が解決しようとする課題】
【０００８】
上記不都合に鑑みて、本考案は、組立状態の箱体での強度低下が比較的小さく、廃棄時に比較的容易に破断できる箱用シートを提供することを課題とする。
【課題を解決するための手段】
【０００９】
上記課題を解決するためになされた考案は、一枚の段ボールシートから形成され、箱体に組み立てられる箱用シートであって、組立状態で他の部分と重ね合される複数のフラップを備え、上記複数のフラップの先端縁に段ボールシートの破断開始用凹部が形成されていることを特徴とする箱用シートである。
【００１０】
当該箱用シートは、フラップの先端縁に段ボールシートの破断開始用凹部が形成されていることによって、廃棄時に手で比較的容易に破断することができる。また、当該箱用シートは、組み立て状態の箱体の強度に対する寄与が比較的小さいフラップの先端縁に破断開始用凹部が形成されているので、組立状態の箱体での強度低下が比較的小さい。
【００１１】
上記凹部が、凹部の両側のフラップ先端縁から連続する円弧状又は楕円弧状の側縁を有するとよい。このように、上記凹部が、凹部の両側のフラップ先端縁から連続する円弧状又は楕円弧状の側縁を有することによって、当該箱用シートを破断して形成される段ボールシートの小片が有する角が少なくなり、当該箱用シートを廃棄する際に段ボールシートがごみ袋を突き破ることを抑制できる。
【００１２】
上記凹部の一対の側縁が、曲率半径１ｍｍ以上４ｍｍ以下の奥端縁で接続されているとよい。このように、上記凹部の一対の側縁が、曲率半径１ｍｍ以上４ｍｍ以下の奥端縁で接続されていることによって、当該箱用シートが、廃棄する前に意図せず破断することを防止できる。
【００１３】
上記凹部が、封函用粘着テープの貼着予定領域に形成されているとよい。このように、上記凹部が、封函用粘着テープの貼着予定領域に形成されていることによって、封函状態で凹部が目立たない。
【００１４】
上記複数のフラップのうち、組立状態で他の部分の内側に重ねられる内フラップに、破断開始用開口が形成されているとよい。このように、上記複数のフラップのうち、組立状態で他の部分の内側に重ねられる内フラップに、破断開始用開口が形成されていることによって、当該箱用シートの破断をさらに容易にすることができる。
【考案の効果】
【００１５】
以上のように、本考案の箱用シートは、組立状態の箱体での強度低下が比較的小さく、廃棄時に比較的容易に破断できる。
【図面の簡単な説明】
【００１６】
【図１】本考案の一実施形態の箱用シートを示す模式的平面図（展開図）である。
【図２】図１の箱用シートを組み立ててなる箱体を示す模式的斜視図である。
【図３】図１の箱用シートを組み立ててなる箱体の粘着テープによる封函状態を示す模式的斜視図である。
【図４】図１の箱用シートの蓋内フラップを拡大して示す模式的部分平面図である。
【図５】本考案の図１とは異なる実施形態の箱用シートを示す模式的平面図（展開図）である。
【図６】図５の箱用シートの組立状態の箱体を示す模式的斜視図である。
【考案を実施するための形態】
【００１７】
以下、適宜図面を参照しつつ、本考案の実施の形態を詳説する。
【００１８】
［第一実施形態］
図１の箱用シートは、一枚の段ボールシートから形成され、図２に示す箱体に組み立てることができる。なお、図において太い線はシートを切断した切断線を示し、細い線はシート内面側に型押しして形成した罫線を示す。また、以降の説明において「上下」及び「左右」は、各構成要素の相対的な位置関係を示すために便宜上用いられるものであって、必ずしも当該箱用シート及び当該箱用シートを組み立ててなる箱体の使用状態における位置関係を限定するものではない。
【００１９】
当該箱用シートは、組立状態で対向し合う略方形の一対の長さ面板１，２、組立状態で一対の長さ面板１，２の側縁間を接続して互いに対向する略方形の一対の幅面板３，４及び第１の長さ面板１と第２の幅面板４とを接続する継しろ５からなる四角筒状部６と、一対の長さ面板１，２の上縁から延出する一対の蓋外フラップ７，８と、一対の幅面板３，４の上縁から延出する一対の蓋内フラップ９，１０と、一対の長さ面板１，２の下縁から延出する一対の底外フラップ１１，１２と、一対の幅面板３，４の下縁から延出する一対の底内フラップ１３，１４とを備える。
【００２０】
上記四角筒状部６は、第１の長さ面板１、第１の幅面板３、第２の長さ面板２及び第２の幅面板４が左右方向にこの順番に連設され、第１の長さ面板１の第１の幅面板３と反対側の側縁から延出する継しろ５によって第１の長さ面板１と第２の幅面板４とが接続され、組立状態で平面視長方形状の筒を形成する。
【００２１】
当該箱用シートは、通常、第１の長さ面板１を第１の幅面板３の内面に密着させるよう折り返してから、第２の幅面板４を第２の長さ面板２の内面に密着させるよう折り返すと共に、第２の幅面板４の内側面に継しろ５を接着することによって、四角筒状部６を無端状に接続し、かつ四角筒状部６の内側に空間を形成しない折り畳み状態でユーザーに提供される。
【００２２】
当該箱用シートは、組立状態で、四角筒状部６の上側の開口が、蓋内フラップ９，１０を内側に折り曲げてから、蓋内フラップ９，１０の外側に蓋外フラップ７，８を互いの延出側先端縁を突き合わせるよう折り重ねることによって封止され、四角筒状部６の下側の開口が、同様に、内側に折り曲げた底内フラップ１３，１４の外側に底外フラップ１１，１２を折り重ねることによって封止される。
【００２３】
つまり、当該箱用シートは、いわゆるミカン箱タイプのＡ式段ボール箱を形成する箱用シートである。このため、蓋内フラップ９，１０及び底内フラップ１３，１４は、組立状態で、当該箱用シートの他の部分、具体的には蓋外フラップ７，８又は底外フラップ１１，１２の内側に重ねられる。
【００２４】
当該箱用シートを組み立ててなる箱体は、図３に示すように、蓋外フラップ７，８及び底外フラップ１１，１２のそれぞれ突き合わされる先端縁を覆うよう粘着テープＴが貼着されることによって封函される。
【００２５】
当該箱用シートは、一対の蓋外フラップ７，８、一対の蓋内フラップ９，１０、一対の底外フラップ１１，１２及び一対の底内フラップ１３，１４の延出側先端縁に、それぞれ段ボールシートの破断開始用の凹部１５が形成されている。本実施形態において、各フラップ７〜１４には、それぞれ２つの凹部１５が形成されている。
【００２６】
これらの凹部１５は、当該箱用シートを組み立ててなる箱体において、当該箱用シートの他の部分に重ねられる部分に形成されている。より詳しくは、凹部１５は、当該箱用シートの他の部分の内側に重ねられる領域又は封函用粘着テープＴの貼着予定領域に形成されている。これにより、当該箱用シートを組み立ててなる箱体の封函状態において、凹部１５が比較的目立ち難い。
【００２７】
当該箱用シートは、組立状態で蓋外フラップ７，８又は底外フラップ１１，１２の内側に重ねられる一対の蓋内フラップ９，１０及び一対の底内フラップ１３，１４に、それぞれ段ボールシートの破断開始用の開口１６が形成されている。
【００２８】
さらに、当該箱用シートは、一対の蓋内フラップ９，１０及び一対の底内フラップ１３，１４に、それぞれ段ボールシートの破断を促進する切込み１７が形成されている。
【００２９】
また、当該箱用シートは、折り畳み状態で、継しろ５の近傍に位置する蓋外フラップ７，１１及び蓋内フラップ１０，１４の先端縁の継しろ側の端部を除いて、各フラップ７〜１４の先端縁と側縁との角が丸く面取りされている。つまり、当該箱用シートは、一般的なグルアー（折り畳み糊付け装置）で第２の幅面板４と継しろ５とを貼り合わせる際、当該箱用シートを罫線に沿って正確に折り曲げることを保証するための直角矯正機構のガイドが当接する蓋外フラップ７，１１及び蓋内フラップ１０，１４の先端縁の端部を除いて、角がない外縁形状を有する。これにより、当該箱用シートをごみ袋に入れて廃棄する際に、ごみ袋を突き破り難くしている。また、蓋外フラップ７，１１及び蓋内フラップ１０，１４の先端縁の端部を面取りしないことによって、これらの先端縁の端部の位置関係から、折り畳み状態の当該箱用シートが罫線に沿って正確に折り曲げられているか否かを比較的容易に確認することができる。
【００３０】
＜段ボールシート＞
当該箱用シートを形成する段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００３１】
当該箱用シートにおいて、段ボールシートは、中芯の稜線が上下方向に延在するよう配向されることが、当該箱用シート組み立ててなる箱体の通常の使用状態における座屈強度を向上できる点で好ましい。
【００３２】
＜凹部＞
凹部１５は、フラップ７〜１４の側縁からの距離がフラップ７〜１４の延出長さ以下の範囲に収まるよう形成されることが好ましい。このように、凹部１５をフラップ７〜１４の側縁近傍に形成することによって、凹部１５が組立状態で内フラップ９，１０，１３，１４と外フラップ７，８，１１，１２とが重複する領域に形成され、当該箱用シートを組み立ててなる箱体に隙間が形成され難くなる。
【００３３】
各凹部１５のフラップ７〜１４の先端縁に沿う方向の幅の下限としては、３ｃｍが好ましく、５ｃｍがより好ましい。一方、各凹部１５の幅の上限としては、１２ｃｍが好ましく、１０ｃｍがより好ましい。各凹部１５の幅が上記下限に満たない場合、当該箱用シートの破断開始を十分に促進できないおそれがある。逆に、各凹部１５の幅が上記上限を超える場合、当該箱用シートを組み立ててなる箱体の強度が不十分となるおそれがある。
【００３４】
各凹部１５の最大深さ（フラップ先端縁からの最大垂直距離）の下限としては、１５ｍｍが好ましく、２０ｍｍがより好ましい。一方、各凹部１５の最大深さの上限としては、３５ｍｍが好ましく、３０ｍｍがより好ましい。各凹部１５の最大深さが上記下限に満たない場合、当該箱用シートの破断開始を十分に促進できないおそれがある。逆に、各凹部１５の最大深さが上記上限を超える場合、凹部１５を封函用粘着テープＴで覆い隠すことが容易でなくなるおそれや、当該箱用シートを組み立ててなる箱体に不必要に隙間が形成されるおそれがある。
【００３５】
また、図４に示すように、凹部１５は、この凹部１５の両側のフラップ先端縁から連続する円弧状又は楕円弧状の一対の側縁１８を有する。このように、凹部１５がフラップ先端縁から連続する側縁を有し、フラップ先端縁と凹部１５との境界に角を形成しないことによって、当該箱用シートを凹部１５から破断した場合に、ごみ袋を突き破る角が形成され難くなるので、当該箱用シートの廃棄がさらに容易となる。
【００３６】
この一対の側縁１８は、フラップ先端縁に垂直な軸に対して線対称（鏡写し）に形成される円弧状とされることが好ましい。側縁１８の内角の下限としては、４５°が好ましく、６０°がより好ましい。一方、側縁１８の内角の上限としては、９０°が好ましく、８０°がより好ましい。側縁１８の内角が上記下限に満たない場合、当該箱用シートの破断開始を十分に促進できないおそれがある。逆に、側縁１８の内角が上記上限を超える場合、当該箱用シートを組み立ててなる箱体の強度が不十分となるおそれや、当該箱用シートが意図せず破断するおそれがある。
【００３７】
側縁１８の平均曲率半径の下限としては、１ｃｍが好ましく、２ｃｍがより好ましい。一方、側縁１８の平均曲率半径の上限としては、６ｃｍが好ましく、５ｃｍがより好ましい。側縁１８の平均曲率半径が上記下限に満たない場合、凹部１５が小さくなり、当該箱用シートの破断開始を十分に促進できないおそれがある。逆に、側縁１８の平均曲率半径が上記上限を超える場合、当該箱用シートを組み立ててなる箱体の強度が不十分となるおそれや、当該箱用シートを組み立ててなる箱体を粘着テープＴで封函したとき、粘着テープＴで凹部１５を覆い隠すことができないおそれがある。
【００３８】
また、凹部１５は、上記一対の側縁１８のみから形成されてもよいが、図示するように、上記一対の側縁１８の奥が端部を角なく曲線で接続する奥端縁１９を有することが好ましい。
【００３９】
上記奥端縁１９の曲率半径の下限としては、１ｍｍが好ましく、１．５ｍｍがより好ましい。逆に、奥端縁１９の曲率半径の上限としては、４ｍｍが好ましく、３ｍｍがより好ましく、２．５ｍｍがさらに好ましい。奥端縁１９の曲率半径が上記下限に満たない場合、当該箱用シートが意図せず破断するおそれや、凹部１５の加工が容易でなくなるおそれがある。逆に、奥端縁１９の曲率半径が上記上限を超える場合、当該箱用シートの破断開始を十分に促進できないおそれがある。
【００４０】
＜開口＞
開口１６は、内フラップ９，１０，１３，１４に、凹部１５と上下方向に並んで形成されることが好ましい。開口１６を凹部１５と並べて形成することによって、当該箱用シートの破断がさらに容易となる。
【００４１】
開口１６の形状としては、図示するように、開口１６内側に突出する円弧又は楕円弧状の４つの主端縁２０を４つの奥端縁２１で接続した形状とすることができる。
【００４２】
開口１６の主端縁２０及び奥端縁２１の曲率半径としては、上記凹部１５の側縁１８及び奥端縁１９と同様とすることができる。
【００４３】
開口１６は、１つの奥端縁２１が凹部１５の奥端縁１９と対向するよう配向することが好ましい。
【００４４】
＜切込み＞
切込み１７は、内フラップ９，１０，１３，１４に、開口１６と左右方向に並んで形成されることが好ましく、延長線上に開口１６の奥端縁２１が位置するよう配置されることがより好ましい。
【００４５】
このように、切込み１７を形成することによって、当該箱用シートの細分化がさらに容易となる。
【００４６】
各切込み１７の長さの下限としては、３ｍｍが好ましく、５ｍｍがより好ましく、１０ｍｍがさらに好ましい。一方、各切込み１７の長さの上限としては、３０ｍｍが好ましく、２０ｍｍがより好ましい。各切込み１７の長さが上記下限に満たない場合、当該箱用シートの破断を十分に促進できないおそれがある。逆に、各切込み１７の長さが上記上限を超える場合、当該箱用シートが意図せず破断するおそれや、当該箱用シートを組み立ててなる箱体の強度が不十分となるおそれがある。
【００４７】
＜利点＞
当該箱用シートは、フラップ７〜１４の先端縁にそれぞれ凹部１５を形成したので、組立状態の箱体での強度低下が比較的小さく、廃棄時に比較的容易に破断できることで比較的容易に廃棄することができる。
【００４８】
［第二実施形態］
図５の箱用シートは、一枚の段ボールシートから形成され、図６に示す箱体に組み立てることができる。図５の箱用シートを形成する段ボールシートとしては、図１の箱用シートを形成する段ボールシートと同様とすることができる。
【００４９】
当該箱用シートは、略方形の後板３１と、組立状態で後板３１に対向する略方形の前板３２と、後板３１及び前板３２間を接続する略方形の一対の側板３３，３４と、後板３１と第２の側板３４とを接続する継しろ３５とからなる四角筒状部３６を備える。この四角筒状部３６は、後板３１、第１の側板３３、前板３２及び第２の側板３４が左右方向にこの順番に連設され、後板３１の第１の側板３３と反対側の側縁から延出する継しろ３５によって、組立状態で平面視長方形状の筒を形成する。
【００５０】
また、当該箱用シートは、後板３１の上縁から延出する蓋板３７と、この蓋板３７の延出側先端縁からさらに延出する差込フラップ３８と、一対の側板３４の上縁から延出する一対の蓋内フラップ３９，４０を備える。当該箱用シートは、組立状態で、四角筒状部３６の上側の開口が、蓋内フラップ３９，４０を内側に折り曲げてから、蓋内フラップ３９，４０の外側に蓋板３７を折り重ね、差込フラップを前板３２の内面に沿うよう四角筒状部３６の内部に挿入することによって封止される。つまり当該箱用シートは、いわゆるＢ式段ボール箱を形成する箱用シートである。
【００５１】
さらに、当該箱用シートは、後板３１及び前板３２の下縁から延出する一対の主底フラップ４１，４２と、一対の側板３４の下縁から延出する一対の補助底フラップ４３，４４とを有する。これらの主底フラップ４１，４２及び補助底フラップ４３，４４は、いわゆるワンタッチタイプの底部を形成するよう構成されている。
【００５２】
具体的には、主底フラップ４１，４２は、左右方向一方側に、その基端縁の端部を通り、基端縁に４５°傾斜して形成される罫線によって画定される折返部４５，４６を有する。当該箱用シートは、主底フラップ４１，４２及び補助底フラップ４３，４４を四角筒状部３６の内面側に折り返し、さらに上記折返部４５，４６を主底フラップ４１，４２の外面側（四角筒状部３６の内面側）に折り返して、この折返部４５，４６内面に補助底フラップ４３，４４の外面が予め接着される。これにより、当該箱用シートは、折り畳み状態でユーザーに提供され、ユーザーが四角筒状部３６を四角筒状に拡げることで、主底フラップ４１，４２及び補助底フラップ４３，４４が適切に組み合わされて箱体の底部を形成する。
【００５３】
当該箱用シートは、通常、後板３１を第１の側板３３の内面側に折り返し、第２の側板３４を前板３２の内面側に折り返し、主底フラップ４１，４２及び補助底フラップ４３，４４間を貼着すると共に、第２の側板３４に継しろ３５を接着することによって、四角筒状部３６の内側に主底フラップ４１，４２及び補助底フラップ４３，４４を挟み込んだ折り畳み状態でユーザーに提供される。
【００５４】
加えて、当該箱用シートは、差込フラップ３８の延出側先端縁、一対の蓋内フラップ３９，４０の延出側先端縁、及び前板３２の上縁に、それぞれ段ボールシートの破断開始用の凹部４７が形成されている。
【００５５】
これらの凹部４７は、当該箱用シートを組み立ててなる箱体において、当該箱用シートの他の部分に重ねられる部分に形成されている。つまり、これらの複数の凹部４７は、当該箱用シートを組み立ててなる箱体の封函状態において、互いに重ならない位置に形成されている。これにより、当該箱用シート組み立ててなる箱体に不必要な隙間が形成され難くなる。
【００５６】
図５の箱用シートにおける凹部４７の形状は、図１の箱用シートにおける凹部１５の形状と同様とすることができる。
【００５７】
＜利点＞
当該箱用シートは、差込フラップ３８の先端縁、蓋内フラップ３９，４０の先端縁及び前板３２の上縁にそれぞれ凹部４７を形成したので、組立状態の箱体での強度低下が比較的小さく、比較的容易に段ボールシートを破断して廃棄することができる。
【００５８】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５９】
本考案は、上記第一実施形態のＡ式ダンボール箱用シートや第二実施形態のＢ式段ボール箱用シートに限らず、どのようなタイプの箱用シートに適用してもよい。
【００６０】
当該箱用シートにおいて、各フラップに設けられる凹部の数は、フラップの幅に応じて適宜選択することができ、１つであってもよく、３つ以上であってもよい。
【００６１】
第一実施形態の箱用シートにおいて、直角矯正のガイド位置をずらして全てのフラップの先端縁両側の角を面取りしてもよい。また、当該箱用シートにおいて、このような面取りは必須ではなく、フラップの先端縁の端部や、凹部と凹部に隣接するフラップ先端縁との境界に角を有してもよい。
【００６２】
第一実施形態の箱用シートにおける内フラップの開口及び切込みは任意であり、第二実施形態の箱用シートにおける蓋内フラップに同様の開口又は切込みを設けてもよい。また、開口の形状は、破断開始を促進できる端縁形状を有するものであればよく、第一実施形態の形状に限られない。
【産業上の利用可能性】
【００６３】
本考案は、比較的大きい箱体に組み立てられる段ボール箱用シートに特に好適に利用することができる。
【符号の説明】
【００６４】
１，２  長さ面板
３，４  幅面板
５  継しろ
６  四角筒状部
７，８  蓋外フラップ
９，１０  蓋内フラップ
１１，１２  底外フラップ
１３，１４  底内フラップ
１５  凹部
１６  開口
１７  切込み
１８  側縁
１９  奥端縁
２０  主端縁
２１  奥端縁
３１  後板
３２  前板
３３，３４  側板
３５  継しろ
３６  四角筒状部
３７  蓋板
３８  差込フラップ
３９，４０  蓋内フラップ
４１，４２  主底フラップ
４３，４４  補助底フラップ
４５，４６  折返部
４７  凹部
Ｔ  粘着テープ
【図１】
0003200794.tif 000003
【図２】
0003200794.tif 000004
【図３】
0003200794.tif 000005
【図４】
0003200794.tif 000006
【図５】
0003200794.tif 000007
【図６】
0003200794.tif 000008